(57)【要約】【課題】使い捨てのスキンケア装置を提供する。【解決手段】使い捨てのスキンケア装置１０は、発光装置と、発光装置に付けることができ、光１２を患者の表面１４へ伝達することを可能な光伝達使い捨て装置１６とを含み、光伝達使い捨て装置１６は使用の後に発光装置から取り外すことができ、置換用の光伝達使い捨て装置と交換可能である。【選択図】図１
2013532503.tif 000002
【特許請求の範囲】
【請求項１】
発光装置と、
前記発光装置に付け可能であり、光を患者の表面へ伝達することを可能な光伝達使い捨て装置とを含み、
前記光伝達使い捨て装置は使用の後に前記発光装置から取り外し可能で、且つ、交換用の光伝達使い捨て装置と交換可能である、医療器具。
【請求項２】
前記光伝達使い捨て装置は皮膚表面へ薬を届けることができる薬配達層をさらに含む、請求項１に記載の医療器具。
【請求項３】
前記光伝達使い捨て装置は装置が電子チップのように使用されたかどうか検知する検知手段を含む、請求項１または２に記載の医療器具。
【請求項４】
前記医療器具は歩行用であり、患者の足、脚、トルソ、肩、腕、手、頭、または顔面に取付け可能である、請求項１〜３のいずれかに記載の医療器具。
【請求項５】
前記光伝達使い捨て装置は使い捨ての、柔軟性および／またはしなやかさを有し、シートのような、柔軟性のある、実質的に平面状である、請求項１〜４のいずれかに記載の医療器具。
【請求項６】
前記光伝達使い捨て装置は前面および後面を有し、前面および後面の少なくとも一方あるいは両方に接着剤を含む、請求項１〜５のいずれかに記載の医療器具。
【請求項７】
前記光伝達使い捨て装置はアクリル接着剤を備えたポリエチレンシートから構成された粘着性のある薄いシートの形状である、請求項１〜６のいずれかに記載の医療器具。
【請求項８】
前記光伝達使い捨て装置は透明(あるいは少なくとも、実質的に透明)であり、光が発光装置から発せられ、光伝達使い捨て装置(例えば粘着性のシート)を通して患者の皮膚の表面に伝達する、請求項１〜７のいずれかに記載の医療器具。
【請求項９】
前記光伝達使い捨て装置は、機械的手段、および／または接着剤のような化学的手段を用いて発光装置の下側に取付けうる、請求項１〜８のいずれかに記載の医療器具。
【請求項１０】
発光装置が患者を治療するために使用された後、光伝達使い捨て装置（例えば粘着性のシート)前記発光装置の下側から取り除かれ（はがされ）て処分され、代わりの光伝達使い捨て装置（例えば、他の粘着性シート）が前記発光装置の下側に取付けられ、発光装置が再び使用可能になる、請求項１〜９のいずれかに記載の医療器具。
【請求項１１】
前記光伝達使い捨て装置（例えば粘着性のシートあるいはゲルの短い円筒)が、前記光伝達使い捨て装置の前面および後面の少なくとも一方または両方の上に選択的に接着剤を有する非透明層から構成され、光が皮膚表面に伝達され、光伝達使い捨て装置は光が底を通って皮膚表面に伝達する透明窓、または、孔を含む、請求項１〜１０のいずれかに記載の医療器具。
【請求項１２】
前記光伝達使い捨て装置(例えば粘着性のシートあるいはゲルの短い円筒)は不透明な層および透明窓(あるいは孔)を含み、発光装置の下側に隣接した表面に部分的にのみ接着剤で覆われている、請求項１〜１１のいずれかに記載の医療器具。
【請求項１３】
前記光源(例えばLEDまたはOLED)からの光路は固体材料（例えばシリコンゲルを通って皮膚の表面に至り、皮膚の表面は熱の消費を促進し、熱の蓄積を防ぐ、請求項１〜１２のいずれかに記載の医療器具。
【請求項１４】
前記光伝達使い捨て装置は曲面を有する体表面に一致することができる柔軟な使い捨ての透明な部分(例えば、シリコンゲルから作られる)と結合した剛性を有する発光体を含む、請求項１〜１３のいずれかに記載の医療器具。
【請求項１５】
光源(例えばLEDの配列)からの光は任意にチタニア・ナノ粒子を含んでもよい透明なゲル層を使用して拡散される、請求項１〜１４のいずれかに記載の医療器具。
【請求項１６】
前記光伝達使い捨て装置は伝導性のある、蛍光および／または皮膚表面で治療を調節する酸素センサーを含む、請求項１〜１５のいずれかに記載の医療器具。
【請求項１７】
前記光伝達使い捨て装置は生体適合性のある材料で作られる、請求項１〜１６のいずれかに記載の医療器具。
【請求項１８】
前記光伝達使い捨て装置は、装置の異なる部品間のコミュニケーションを許可する、「賢い」使い捨ての頭(例えば電子チップおよび／または埋め込まれたセンサー)を含む、請求項１〜１７のいずれかに記載の医療器具。
【請求項１９】
前記光伝達使い捨て装置は柔軟性のある材料から作られ、使い捨てが可能である、請求項１〜１８のいずれかに記載の医療器具。
【請求項２０】
前記光伝達使い捨て装置は患者の皮膚表面に係合することが意図された光伝達使い捨て装置の表面に接着剤のみを含む、請求項１〜１９のいずれかに記載の医療器具。
【請求項２１】
前記光伝達使い捨て装置は実質的に平面状で、形において実質的に環状で、それが付けられることを意図する発光装置の下側に設けられた対応する開口(例えば女性部分)で係合することが可能な複数の突起部(例えば男性特徴)を含むフレームに取付け可能である、請求項１〜２０のいずれかに記載の医療器具。
【請求項２２】
前記光伝達使い捨て装置は、接着剤またはフレームから外に突出し、前記光伝達使い捨て装置の対応する開口を通って延在するポストを用いてフレームに取付けられる請求項２１に記載の医療器具。
【請求項２３】
前記フレームは少なくとも1つあるいは複数の多くの柔軟性を有するヒンジを含み、したがって、例えば、患者の足、脚、トルソ、肩、腕、手、頭あるいは顔面のような人間または哺乳動物の身体の任意の部分上の非平面あるいは実質的に非平面か、曲面に適応、かつ／または一致させうる、請求項２１または２２に記載の医療器具。
【請求項２４】
前記フレームは、フレームが、例えば、患者の足、脚、トルソ、肩、腕、手、頭あるいは顔面のような、人間または哺乳動物の身体の任意の部分上の非平面あるいは実質的に非平面か、曲面に適応かつ／または一致することを可能にする柔軟性のある材料から作られる、請求項２１〜２３のいずれかに記載の医療器具。
【請求項２５】
前記光伝達使い捨て装置は、前記光伝達使い捨て装置(例えば粘着性のシート)に直接取り付けられた少なくとも1つ、あるいは複数の突出部材(例えばポスト)を含む、請求項１〜２４のいずれかに記載の医療器具。
【請求項２６】
前記医療器具は透明な薬および／または、患者の治療エリアへ薬および／または化学薬品を届けることができる化学ソースをさらに含む、請求項１〜２５のいずれかに記載の医療器具。
【請求項２７】
前記医療器具は歩行用の光源を備えた接着剤層をさらに含む、請求項１〜２６のいずれかに記載の医療器具。
【請求項２８】
分離されたクリーム/ローション/アクティブが、治療される患者に対して薬および／または化学ソースを供給するために適用される、請求項２６に記載の医療器具。
【請求項２９】
治療および／または化粧法を実行する方法であって、前記方法は、
発光装置を提供するステップと、
発光装置に付けることができ、光を患者の表面に伝達可能な光伝達使い捨て装置を準備するステップとを含み、
光伝達使い捨て装置は使用後、発光装置から取り外され、代わりの光伝達使い捨て装置に好感されうる、方法。
【請求項３０】
クレーム１〜２７のいずれかに記載の医療器具を用いて治療および／または化粧法を実行する、方法。
【請求項３１】
治療において、請求項１から２７のいずれかに記載の医療器具の使用。
【請求項３２】
治療は光線力学療法または光線治療である、請求項３１に記載の使用。
【請求項３３】
治療は、癌(例えば皮膚癌)、にきび、しわ、創傷治癒レーザー療法、老化防止レーザー療法およびポスト皮膚レーザー療法(例えば化粧法へ適用)の治療に関する、請求項３１または３２に記載の使用。
【請求項３４】
ここより以前に記載され、図１から図３のいずれかに示された医療器具。
【発明の詳細な説明】
【技術分野】
【０００１】
この発明は使い捨てのスキンケア装置に関する。より詳しくは、この発明は、発光医療器具の一部を構成することができる使い捨てのスキンケア装置に関する。
【背景技術】
【０００２】
皮膚に適用される外来用の発光素子は、例えば癌の障害および潜在的に傷ついた皮膚の上に位置する。これは、各装置が処理の後に汚染されることを意味する。以前は、この問題は、使い捨ての装置を有するとか、殺菌することができる装置を有する等の多くの方法で解決された。
【発明の概要】
【発明が解決しようとする課題】
【０００３】
装置全体を殺菌できるような装置とすることは高価になる。というのは、殺菌プロセスに対処することができるように、装置全体を構築しなければならないからである。一方で、装置を完全に使い捨てにすることも高価になる。というのは、装置全体を一度だけしか使用することができず、捨てられるためである。更に、オートクレーブ滅菌のような共通の殺菌プロセスは装置を破損する可能性がある。
【発明の要約】
【０００４】
前述の問題の少なくとも1つ以上を除去するか緩和することがこの発明の少なくとも1つの局面の目的である。
【０００５】
使い捨てのスキンケア装置を提供することが、この発明の少なくとも1つの局面のもう一つの目的である。
【０００６】
発光医療器具の一部を形成することができる使い捨てのスキンケア装置を提供することは、この発明の少なくとも1つの局面のもう一つの目的である。
【０００７】
この発明の最初の局面によれば、医療器具は、
発光装置と、
発光装置に取付け可能であり、光を患者の表面へ送ることができる光伝達使い捨ての装置とを含み、
使い捨ての装置は、使用後発光装置から取り外し可能で且つ交換用の光伝達使い捨て装置と交換が可能である。
【０００８】
使い捨ての装置は皮膚へ発光装置を付着させるために使用されてもよい。
【０００９】
したがって、この発明は、歩行装置のような、発光医療装置の一部を形成可能な使い捨てのスキンケア装置の提供することにある。この発明の発光装置は患者が移動可能な治療を許可して、したがって外来治療を可能にするのに十分な携帯性を有する。
【００１０】
したがって、この発明の発光装置は患者が治療中に動き回るのを許可して、外来治療を可能にするのに十分にポータブルであってもよい。
【００１１】
発光装置は光を発することができる歩行装置であってもよい。光は単一の光源、あるいは複数の光源から発せられてもよい。例えば、拡散器に組み込まれた、有機発光ダイオードあるいは無機発光ダイオードのようなダイオードの任意の適切な形態であってもよい。代わりに、光源は蛍光ランプのような蛍光光源であってもよい。蛍光光源はコンパクトな形状であってもよい。例えば、これは、バックライト付のディスプレイ技術、LED、導波管、および拡散器から開発された技術を含む。
【００１２】
発光装置は、さらに光源と共に医療器具を操作し制御するためのエレクトロニクスを含んでもよい。
【００１３】
発光装置はさらに光拡散器を含んでもよい。
【００１４】
光伝達使い捨て装置は、柔軟性および／またはしなやかさを有するシートのような使い捨ての柔軟性のある実質的に平面フレームであってもよい。したがって、光伝達使い捨て装置は取り外し可能であってもよく、発光装置の下側へ取付けてもよい。
【００１５】
光伝達使い捨て装置は前面および後面を有してもよく、また、前面および後面の少なくとも１方あるいは両方に粘着性を有してよい。光伝達使い捨て装置は、例えばアクリル接着剤付のポリエチレンシートから作られた粘着性の薄板であってもよい。
【００１６】
光伝達使い捨て装置は機械式および／又は接着剤のような化学的手段を使用して、発光装置の下側へ付けられてもよい。
【００１７】
光伝達使い捨て装置は治療を必要とする患者の表面と接触するように意図される。
【００１８】
光伝達使い捨て装置は、さらに装置が電子チップのように使用されたかどうか検知する検知手段を含んでもよい。検知手段は装置の使い捨ての部品に位置してもよい。
【００１９】
光伝達使い捨て装置はさらに透明（あるいは少なくとも、実質的に透明）であってもよく、それゆえ、発光装置から発せられた光が光伝達使い捨て装置（例えば粘着性のシート)を透過し、その後、患者の皮膚の表面上に伝達される。
【００２０】
医療器具はさらに、治療される患者の患部へ透明な薬および／または薬を届けることができる化学ソース(source)、および／または、化学薬品を含んでもよい。これらの薬または化学薬品は化粧品または光線感作物質(photosensitisers)であってもよい。したがって、この発明の発光装置は治療および／または化粧法(cosmetic treatment)を行なうことができてもよい。したがって、この発明は、光線力学療法(photodynamic therapy)または光線治療(phototherapy)を使用して、人間または動物の患者の治療および／または化粧法を行なうことができる発光装置に関してもよい。ある状況では、治療は治療の特性を有する（例えば皮膚癌、重大なにきび）といえるし、他の状況では治療は化粧の特性を有する（例えば小量のにきび、しわの治療のような老化防止治療）といえる。
【００２１】
発光装置が患者を治療するために使用された後、光伝達使い捨て装置（例えば粘着性のシート）は発光装置の下側から取り除かれ（例えば、はがされ）処分されてもよい。代わりの光伝達使い捨て装置（例えば取り外されたものと似た別の粘着性のシート）はその後、発光装置の下側に載置されてもよい。したがって、発光装置は、再び使用される準備ができる。発光装置を殺菌する必要はない。これが治療されている患部に接していないからである。光伝達使い捨て装置（例えば粘着性のシート)を使い捨てにすることによって、殺菌プロセスを経る必要のない発光装置を安価で簡単に再利用できる。というのは、光伝達使い捨て装置(例えば粘着性のシート)は汚い皮膚と清潔な発光装置の間に位置するためである。したがって、光伝達使い捨て装置は交換可能な障壁として機能する。
【００２２】
特別の実施の形態では、発光医療器具は、さらに歩行用の光源を備えた接着剤層を含んでもよい。これらの実施例の中で、別の、クリーム／ローション／アクティブ（active）が治療される患者に薬および／または化学ソースを供給するために個別に適用されてもよい。発光医療器具は、さらに小さくかつ、コンパクトであってもよい電源を含んでもよく、全体の装置に統合されてもよく、それによって、装置を外来治療に適しているようにしてもよい。したがって、この発明は着用可能としてもよいし、患者の足、脚、トルソ、肩、手、頭、または、顔面等に取付けられてもよい。
【００２３】
光伝達使い捨て装置は、さらに皮膚表面へ薬を届けることができるドラッグデリバリー層(薬配達層drug delivery layer) を含んでもよい。
【００２４】
代わりの実施例として、光伝達使い捨て装置（例えば、粘着性のシート）は光伝達使い捨て装置の前面および後面の、少なくとも1方に接着剤を有してもよい。光が皮膚表面へ伝達することを可能にするために、光伝達使い捨て装置は光が皮膚表面に伝達することを可能にする透明窓を含んでもよいし、代わりに、光伝達使い捨て装置は、材料が存在しない、孔を有してもよい。光は皮膚表面へ孔を通して伝達される。
【００２５】
更なる実施の形態においては、光伝達使い捨て装置（例えば粘着性のシート）は不透明の層および透明の層（又は孔）を含んでもよく、光伝達使い捨て装置の裏側に隣接する表面が部分的にのみ粘着剤で覆われてもよい。したがって、光伝達使い捨て装置は、発光装置の下側で接触を意図する領域のみがおおわれていてもよい。光伝達使い捨て装置の接着剤が設けられる領域は、それゆえ、発光装置の下側の形状および／または輪郭に合致するか、少なくとも、実質的に合致するよう適用されるか、または、その形状を有するようにしてもよい。
【００２６】
光伝達使い捨て装置は使い捨てが可能な任意の適切な材料で製造されてもよい。
【００２７】
特別の実施例において、光伝達使い捨て装置は皮膚の表面との係合が意図される光伝達使い捨て装置の表面上に接着剤のみを含むようにしてもよい。
【００２８】
光伝達使い捨て装置は、実質的に平面および／または実質的に環状であってもよい。したがって、光伝達使い捨て装置は、実質的に中央に開口を有する実質的に環状の表面を含んでもよい。開口は、実質的に円形であるが、任意の適切な形状であってもよい。光伝達使い捨て装置の両側には1組のフラップがあってもよい。フラップは光伝達使い捨て装置を安全に患者に取り付けるために使用されてもよいし、光伝達使い捨て装置を患者や実際の発光装置から容易に着脱するために用いてもよい。
【００２９】
特別の実施例の中で、光源(例えばLEDまたはOLED)から光路は固体材料を経て皮膚表面を通る。すなわち、光は空気あるいは空気ギャップを通らない。これは、より多くの光が有効に皮膚に入ること、すなわち、より強度の強い光が皮膚に入ることを意味する。したがって、固体材料は光源から皮膚への光のカップリングを増強する。例えば、シリコーンゲルは光が空気ではなく固体材料を通って移動することを保証するために使用されてもよい。光が空気ではなく固体材料を通って移動することによって、熱の拡散を促進し、熱の蓄積を防ぐ。したがって、これは断熱を提供し、光源で生じた任意の熱から皮膚を保護する。
【００３０】
典型的には、光伝達使い捨て装置は、柔軟な使い捨ての透明な一部分(例えば、シリコーン・ゲルから作られた)と結合した剛性のある発光体を含んでもよい。
【００３１】
光源からの光も拡散されてもよい。これは、LEDの配列からの光のような均一でない光源があるところでは有用である。透明なゲル層はこれを助けるかもしれないし、光の拡散に使用されてもよく、したがって、拡散器として機能する。例えば、チタニア・ナノ粒子はゲルに加えられてもよい。したがって、この実施例は、より均一な照明を提供するために使用することができるLEDの配列および使い捨ての拡散層に関係してもよい。
【００３２】
光伝達使い捨て装置は、さらに皮膚表面が治療を調節するために、伝導性、蛍光および／または、酸素センサーを含んでもよい。
【００３３】
センサーは皮膚に接触してもよいし、光伝達使い捨て装置の一部であってもよい。
【００３４】
光伝達使い捨て装置は生物学的適合した材料（biocompatible）から作られてもよい。
【００３５】
光伝達使い捨て装置は、さらに装置の異なる部品間のコミュニケーションを許可する、「賢い」使い捨ての頭(例えば電子チップおよび／または、埋め込まれたセンサー)を含んでもよい。
【００３６】
特別の実施例では、光伝達使い捨て装置はフレームに取付けられてもよい。典型的には、フレームは、実質的に環状であるが、任意の適切な形であってもよい。フレームは外部の縁を含んでもよい、また縁には、発光装置の下側に設けられた対応する開口部（例えば雌部分）に係合することが意図された複数の突起部（例えば雄部分）が設けられてもよい。これによって、発光装置へのフレームおよび粘着性のシートの正確な位置決めが促進される。フレームは、さらに光がそれを透過することを可能にする光伝達使い捨て装置の開口に一致するように意図される、実質的に中心に位置する孔を含んでもよい。
【００３７】
したがって、光伝達使い捨て装置は、接着剤(例えばそれがフレームと接触にするエリアのみ)のような任意の適切な手段を用いてフレームに取付けられてもよい。代わりに、光伝達使い捨て装置は、フレームから突出するポストを用いてフレームに取付けられてもよく、ポストは光伝達使い捨て装置の対応する開口を通って延在することが意図される。例えば、ポストはＸ形の断面を有し、これは光伝達使い捨て装置の対応するＸ形の開口に挿入される。したがって、取付けられた光伝達使い捨て装置とフレームは、複数の突起部を用いて発光装置の下側に取付けた使い捨て可能な物品を構成する。一度使用されると、新しい光伝達使い捨て装置とフレームとを含む使い捨ての物品が発光装置の下側に取付けられうる。
【００３８】
フレームはさらに少なくとも1つあるいは複数の柔軟なヒンジを含んでもよい。少なくとも1つあるいは複数の柔軟なヒンジを含むフレームは、光伝達使い捨て装置に取り付けられてもよいし、したがって、非平面、実質的に非平面か、曲面に適応および／または一致させることができ、したがって、例えば、患者の足、脚、トルソ、肩、腕、頭、あるいは顔面のような人または哺乳類の任意の部分上に取付が可能であってもよい。
【００３９】
フレームを非平面または曲面に適応させ、および／または一致させることを可能にすることによって、光源が均一、または、実質的に均一に患者の皮膚を照明することが可能になり、これが、効果的な治療にとって重要である。
【００４０】
更なる代案としては、フレームは柔軟性のある材料から作られてもよく、それによって、フレームは、例えば、患者の足、脚、トルソ、肩、腕、手、頭、あるいは顔面のような、人間または哺乳動物の身体の任意の部分上の、非平面あるいは実質的に非平面、または、曲面に適応させ、かつ／または、順応させることを可能にしもよい。適切な柔軟性のある材料は、例えばエラストマー材料のような、高分子材料から作られてもよい。
【００４１】
さらなる代替の実施例においては、光伝達使い捨て装置は、少なくとも一つあるいは複数の突出部材（例えばポスト）を含んでもよく、これは、直接光伝達使い捨て装置（例えば粘着性のシート）に取付けられてもよい。任意の適切な数の突出部材が設けられてもよい。突出部材は、機械的、および／または、接着剤あるいは粘着性のプロセスのような化学的手段を使用して光伝達使い捨て装置に取付けられてもよい。この実施例では、発光装置は柔軟性を有してもよい。突出部材はさらに光伝達使い捨て装置に設けられた対応するＸ形の断面の開口部に適合する実質的にＸ形の断面を有してもよい。光伝達使い捨て装置はアクリル接着剤を備えたポリエステルのような任意の適切な粘着性のあるプラスター材料から作られてもよい。
【００４２】
発光装置は、患者に対して、約0.1 -500 cm2、0.1 -250 cm2、約0.1 -100cm2、1 -100cm2、あるいは5 -50 cm2の表面積で接触してもよい。あるいは、発光装置は、約0.01cm2、約0.1 cm2、約1 cm2、約5 cm2、約10 cm2、約50cm2、又は、約100cm2より大きい表面積で患者と接触できてもよい。
【００４３】
光源は所望の波長上の光を発するあらゆる適切な光源であってもよい。光源は発光層として提供されてもよい。
【００４４】
典型的には、光源は、約300 -3000nm、約300 -1500nm、約300 -800nm、あるいは約370 -750nmの範囲内で作動するものであってもよい。特別の実施例では、光源は電磁スペクトルの可視領域で作動するものであってもよい。あるいは、光源は、電磁スペクトルの紫外線か赤外波長域の中で作動するであってもよい。作動中の光源は実質的に一定で、かつ／または均一の波長で作動してもよいし、あるいは一連の波長において走査されるものであってもよい。特別の実施例では、光の1つを超える波長が照射されてもよいし、および／または、同時、または、異なる時にパルス照射されてもよい。これはにきびの処理に適していてもよい。
【００４５】
光源は、約0.1 -500 cm2、約0.1 -250 cm2、約0.1-100cm2、約1-100cm2あるいは約5 -50 cm2の、広範囲な発光表面積を有してもよい。あるいは、光源は約0.01cm2、約0.1 cm2、約1 cm2、約5 cm2、約10 cm2、約50 cm2、あるいは約100cm2より大きな発光表面を有してもよい。
【００４６】
光源は実質的に正方形であってもよいし、また実質的に長方形であってもよい。また、約0.5cm×0.5cm、約1cm×1cm、約2cm × 2cm、約5cm × 5cm、約10cm × 10cm、約20cm × 10cmあるいは約15cm × 30cmの寸法であってもよい。あるいは、光源は実質的に円形であってもよい。また、直径は約0.5cm、約1cm、約2cm、約5cm、約10cmあるいは約20cmであってもよい。
【００４７】
光源は、予め設定された時間の間光を実質的に連続的に照射してもよいし、あるいはパルス式のように光を不連続的に照射してもよい。特別の実施例では、光源からの光は、少なくとも約10m s、少なくとも100ms、少なくとも1 s、少なくとも約10s、少なくとも約100 s、少なくとも約1000 s、あるいは少なくとも約10,000sの間隔でパルス式に照射してもよい。特別の実施例では、光源は、例えば拡散器に組み込まれた有機発光ダイオード、または、無機発光ダイオードのような任意の適切な形式であってもよい。あるいは、光源は蛍光ランプのような蛍光光源であってもよい。蛍光光源は形においてコンパクトであってもよい。例えば、これは、バックライトディスプレイ技術、LEDおよび導波管、および拡散器からから開発された技術を含む。
【００４８】
光源は、約0.1 -500mW/cm2、約1 -200mW/cm2あるいは約5 -75mW/cm2の光学倍率密度を有してもよい。光源は作動中に実質的に一定のパワーで作動してもよいし、異なるパワーで作動してもよい。
【００４９】
医療器具は、光化学、および／または、薬の中の光薬剤の準備、および／または、例えば層の形態の化学的ソースを含んでもよい。
【００５０】
光化学、および／または、薬の中の光薬剤の準備は、適切な予め設定された時間で治療される患者の患部に配達されてもよいし、かつ／または、制御装置によってコントロールされてもよい。光化学、および／または、薬の中の光薬剤の準備は、例えばゲル、軟膏、クリームあるいは、光線感作物質の溶液に浸されたガーゼの形で存在してもよい。代わりに、または、加えて、発光装置には、光化学、および／または光薬剤の準備をしみ込ませられた薄膜が提供されてもよい。光化学、および／または光薬剤の準備は薬、および／または、その必要のある人に適用される患者を治療することができる消毒剤を含んでもよい。
【００５１】
典型的には、光化学、および／または、光薬剤は、透明、あるいは実質的に透明であってもよい。あるいは、光の使用および照射の間に透明、または、実質的に透明になってもよい。
【００５２】
実施例において、光化学、および／または、光薬剤が照射光の波長に対して透明もしくは半透明であってもよい場合は、結果として生じる装置は、患者に対して光化学、および／または、光薬剤を適用する別のステップを要することなく、適用できる。
【００５３】
この発明の中で使用される典型的な薬および／または、化学薬品は、それに限るものではないが、ALAやMetfix、あるいは他の光力学療法剤のような前駆薬(precursor drug)を含む。
【００５４】
使用においては、薬および／または、化学の層は治療される患者の患部の頂部に置かれてもよい。化学の層は保湿剤であってもよい。装置は軽量でポータブルであってもよい。特別の実施例では、装置は全てを内蔵したポータブル・ユニットであってもよいし、内蔵の電源を含んでもよい。電源は、装置と光源内のエレクトロニクスを作動してもよい。装置は患者が動き回る間の治療を許可し、したがって外来治療を可能にするのに十分にポータブルであってもよい。したがって、治療は、家でもできるし、仕事中でもできるし、必要な場合、患者によって除去されてもよい。これによって、治療費を下げることができる。というのは、これによって、外来患者や入院患者が病院にとどまることを回避できるからである。これは、露光が長い間行われるため、低い光のレベルを使用できるという利点を備えている。これは、病院の中で使用される従来の高レベルの照射によってある患者に引き起こされた苦痛の問題を克服する。さらに、長い期間にわたる低いレベルの照射は光で誘起された治療により有効でありうる、というのは、それが、治療すべき領域に、酸素を長時間提供し、光薬剤の光退色を減らすからである。
【００５５】
この発明による装置は光治療および光線力学的療法において使用されてもよい。例えば、この発明による装置は、癌(例えば皮膚癌)、にきび、しわ、創傷治癒、老化防止、および、化粧用途で見つかったような、ポスト皮膚レーザー治療の中で使用されてもよい。ここで、傷は、開いた、または、閉じた、あらゆる傷を意味する。開いた傷は、これに限るものではないが、切り口または切傷、裂傷、すり傷、刺創、浸透傷、銃創、また潰瘍(糖尿病の派生した潰瘍を含む)を含む。閉じた傷は、これに限るものではないが、挫傷、ヘマオマス、および、砕いた傷を含む。
【００５６】
この発明の第２の局面によれば、治療および／または、化粧法を行なう方法が提供される。方法は、
発光装置を提供するステップと、
発光装置に取付けることができ、光を患者の表面に伝達させることが可能な光伝達使い捨て装置を提供するステップとを含み、
光伝達使い捨て装置は使用後発光装置から取り出し、および、代わりの光伝達使い捨て装置と取り換えが可能である。
【００５７】
方法は第１の局面に定義される装置によって行なわれてもよい。
【００５８】
この発明の第３の局面によれば、治療における第１の局面による装置の使用が提供される。
【００５９】
典型的には、治療は光線力学的療法か光治療(phototherapy)であってもよい。
【００６０】
したがって、この発明は、癌(例えば皮膚癌)、にきび、しわ、創傷治癒、老化防止、およびポスト皮膚レーザー療法(例えば化粧用)の治療に関するものであってもよい。
【００６１】
この発明の第4の局面によれば、第１の局面による装置を使用する治療の方法が提供される。
【００６２】
治療は光線力学的療法または光治療の治療であってもよい。
【００６３】
さらに、その治療は、癌(例えば皮膚癌)、にきび、しわ、創傷治癒、老化防止、およびポスト皮膚レーザー療法(例えば化粧用)の治療であってもよい。
【図面の簡単な説明】
【００６４】
【図１】この発明の実施例による発光医療器具中の使い捨てのスキンケア装置の略図の側面図である。
【図２ａ】この発明の実施例による発光医療器具の一部を形成する使い捨てのスキンケア装置の斜視図である。
【図２ｂ】この発明の実施例による発光医療器具の一部を形成するフレームの斜視図である。
【図３】この発明の実施例による発光医療器具を形成するために、図２ａの装置と図２ｂのフレームとが結合された使い捨てのスキンケア装置の斜視図である。
【図４】この発明の実施例による発光医療器具の一部を形成する、突出要素を含む使い捨てのスキンケア装置の分解側面図である。
【図５】使い捨てのスキンケア装置に適合する突出要素を示す、図4の発光医療器具の平面図である。
【発明を実施するための形態】
【００６５】
この発明の実施例を、以下に、添付図面を参照して説明する。
【００６６】
概して言えば、この発明は、歩行装置におけるような、発光医療器具の一部を形成することができる使い捨てのスキンケア装置の提供である。この発明の発光装置は患者が動き回る間の治療を許容して、したがって外来治療を可能にするのに十分にポータブルであってもよい。
【００６７】
図1は、この発明の発光医療器具を示す図であり、参照番号10が付されている。発光医療器具10は、単一光源あるいは複数の光源からの光12を照射する。特別の実施例では、光源は、例えば、拡散器に組み込まれた有機発光ダイオードや無機発光ダイオードのような任意の適切な形状のダイオードであってもよい。あるいは、光源は蛍光ランプのような蛍光光源であってもよい。蛍光光源は形においてコンパクトであってもよい。例えば、これは、バックライト付のディスプレイ技術、LED、導波管、および散布器から開発された技術を含んでいる。
【００６８】
図1に示すように、発光医療器具10の下側には使い捨ての粘着性のシート16が設けられている。粘着性のシート16は柔軟および／またはしなやかであり、シート16の前面および後面の両方に接着剤を含む。粘着性のシート16は、アクリル接着剤付のポリエステルから作られたシート状の連続的な薄層である。シート16は、接着剤を使用して、発光医療器具10の下側に確実に取り付けられており、さらに、患者の皮膚および治療される患部に取付けられうる。(代替実施例では、粘着性のシート16は、単に発光医療器具10に隣接した側に接着剤のみを含む)。粘着性のシート16は透明(あるいは少なくとも、実質的に透明な)であり、それゆえ、発光医療器具10から発せられた光12が粘着性のシート16(また任意の接着剤)を透過し、皮膚14の表面に伝達される。
【００６９】
図示されていないが、発光医療器具10はさらに、透明な、薬および／または、治療される患者の患部（area）へ薬および／または、化学薬品を届けることができる化学のソースを含んでもよい。したがって、この発明の発光医療器具10は治療および／または、化粧法（cosmetic treatment）を行なうことができるものであってもよい。したがって、この発明は、光線力学療法または光線治療を使用して、治療および／または、人間または動物の患者の化粧法を行なうことができる、発光医療器具10に関するであってもよい。ある状況では、治療は治療の特性(例えば、皮膚癌(重大なにきび))といってもよく、一方、他の状況では治療は化粧法の特性(例えば小量のにきび、しわの治療のような老化防止治療)であるともいえる。
【００７０】
発光医療器具10が患者を治療するために使用された後、粘着性のシート16は発光医療器具10の下側から取り外し(例えば、はがす)、処分されてもよい。その後、代わりの粘着性のシート16は発光医療器具10の下側に置かれる。したがって、発光医療器具10は、再び使用される準備ができる。これが治療されている患者に接していないため、発光医療器具10を殺菌する必要はない。したがって、粘着性のシート16を処分することによって、粘着性のシート16が汚い皮膚と清潔な発光医療器具10の間に位置し、防護壁として働くため、殺菌処理の不要な、再利用可能な発光医療器具10を安価にかつ使いやすく提供できる。
【００７１】
図示されてはいないが、発光医療器具10は、さらに、小さく、コンパクトな電源を有してもよく、また、全体の装置10へ組み込んでもよく、したがって、装置を外来治療に適したものとすることができる。したがって、この発明の装置は装着可能であってもよいし、患者の足、脚、トルソ、肩、腕、手、頭あるいは顔面に取り付け可能であってもよい。
【００７２】
代わりの実施例では、粘着性のシート16は、シート16の前面および後面の少なくとも一方、あるいは両方の上に接着剤を有する不透明な層から作られてもよい。皮膚表面14への光を伝達するために、粘着性のシート16は、皮膚表面に光を通す透明窓を含むか、あるいは、粘着性のシート16は、光が皮膚表面14へ孔を通して伝達できるように、材料のない孔を含む。
【００７３】
さらなる実施例においては、粘着性のシート16は、不透明な層および透明窓(あるいは孔)、および、発光医療器具10の下側に隣接した表面に部分にのみ接着剤で覆われている。したがって、粘着性のシート16は、発光医療器具10の下側部品と接触すると意図したエリアのみが覆われる。接着剤が粘着性のシート16に置かれる領域は、したがって、発光医療器具10の下側の形および／または、輪郭と一致するか実質的に一致するのに適した形状である。
【００７４】
図2aは、この発明の更なる実施例による粘着性のシート100を示す図である。粘着性のシート100は任意の適切な柔軟性のある材料から作られ、使い捨てになるように意図される。粘着性のシート100は、皮膚表面と係合することが意図されるシート100の面の上に接着剤のみを含む。粘着性のシート100は、実質的に平面状で、実質的に環状である。したがって、粘着性のシート100は、実質的に中心に位置する開口１１２を備えた実質的に環状の表面１１０を含む。開口１１２は形において実質的に円形で示されているが、任意の適切な形でありうる。粘着性のシート100の対辺には、1組のフラップ114,116,118および120が設けられている。フラップ114、116、118、および120は、患者に粘着性のシート100を確実に取り付けるために使用することができ、患者、および発光装置から粘着性のシート100を容易に除去することができる。
【００７５】
図2bはフレーム150を示す図である。フレーム１５０は形において実質的に環状のものとして示されているが、任意の適切な形であってもよい。フレーム150は外部の縁152を含む。縁152には、複数の突起部１５８（例えば男性特徴）が設けられ、これらが、取り付けられることを意図される発光装置の下側に設けられた、対応する開口(例えば女性部分)と係合する。これによって、フレーム150および発光装置への粘着性のシート100の正確な位置決めが容易になる。フレーム150は、粘着性のシート100の開口１１２に対応することが意図される実質的に中央に位置する孔162を含む。
【００７６】
図3は、フレーム150に取り付けられた粘着性のシート100を示す。粘着性のシート100は、接着剤(それがフレーム150と接触するエリアのみで)のような任意の適切な手段を使用して、フレーム150に取り付けられる。あるいは、粘着性のシート100は、フレーム150から外に突出し、また、粘着性のシート100中の対応する開口を通して延在するように意図される、ポストを用いてフレーム150に取り付けられてもよい。例えば、ポストは、粘着性のシート100の対応するＸ形の開口を通して挿入されるＸ形の断面を有してもよい。したがって、取付けられた粘着性のシート100およびフレーム150は、複数の突起158を用いて、発光装置の下側に取付けられてもよい、使い捨てのアイテムを形成する。一度使用されると、新しい粘着性のシート１００およびフレーム１５０を含む新しい使い捨てのアイテムは、発光装置の下側に取付けられ、将来の使用後にまた廃棄等が行われる。
【００７７】
図示は無いが、図2bおよび図3の中のフレーム150は少なくとも1つあるいは複数の柔軟性のあるヒンジを含んでもよい。粘着性のシート100に付けられた少なくとも1つあるいは複数の柔軟性を有するヒンジを有するフレーム１５０は、非平面あるいは実質的に非平面か、曲面に適応、かつ/または、一致することができ、例えば、患者の脚、トルソ、肩、腕、手、頭あるいは顔面のような、人間または哺乳動物の身体の任意の部分に使用できる。フレーム１５０を非平面あるいは曲面に適応、かつ／または、一致することができるようにしたため、光源が患者の皮膚に均一に、または、実質的に均一に光を提供でき、これによって、有効な治療が可能になる。
【００７８】
さらなる代案においては、フレーム150は、フレーム150が例えば、患者の足、脚、トルソ、肩、腕、手、頭あるいは顔面のような人間または哺乳動物の身体の任意の部分上の非平面あるいは実質的に非平面か、曲面に、適応、かつ/または順応させることを可能にする柔軟性のある材料から作られる。適切な柔軟性のある材料は例えば高分子材料から作られたエラストマー材料である。
【００７９】
図４は、この発明の更なる装置200を示す図である。装置200は発光装置210を含む。以下に示す発光装置２１０には、粘着性のシート214に直接付けることができる、複数の突出部材２１２(例えばポスト)を有する。任意の数の突出部材212が設けられてもよい。突出部材２１２は、機械的、および／または接着剤あるいは接着プロセスのような化学的手段を用いて粘着性のシートに取り付けられてもよい。この種の実施例では、発光装置210は柔軟性を有してもよい。図5に示されるように、突出部材212は粘着性のシート214中の対応するX形の開口に適した実質的にX形の断面を有する。粘着性のシート214は、アクリル接着剤を備えたポリエステルのような任意の適切な粘着プラスター材料から作られる。
【００８０】
上記では、この発明の特定の実施例が記載されたが、記述された実施例からずれたものもこの発明の範囲内に入る。例えば、任意の適切なタイプの使い捨ての粘着性のシートは連続的なシートあるいは穿孔されたシートの形をしていてもよい。任意のタイプの接着剤が使用されてもよい。使い捨ての粘着性のシートは任意の適切なタイプの歩行用の発光医療器具に取り付けられてもよい。
【図１】
2013532503.tif 000003
【図２ａ】
2013532503.tif 000004
【図２ｂ】
2013532503.tif 000005
【図３】
2013532503.tif 000006
【図４】
2013532503.tif 000007
【図５】
2013532503.tif 000008
【国際調査報告】
2013532503.tif 000009
2013532503.tif 000010
2013532503.tif 000011